(57)【要約】【課題】  簡単な構造で、使用時にセンサ素子で機器の外部環境を検出でき、非使用時に異物の侵入を阻止できるセンサ装置を提供する。【解決手段】  腕時計ケース１に受圧面６ａを外部側に向けて配置された圧力センサ素子６を覆って腕時計ケース１に固定する素子取付部材７に、圧力センサ素子６の受圧面６ａと腕時計ケース１の外部側とに連続する通路１５を設け、この通路１５をカバー部材８がその回転操作によって開閉自在に塞ぐ構成である。従って、構造が簡単で、非使用時に腕時計ケース１の外部と圧力センサ素子６との間を確実に遮断して、圧力センサ素子６への異物の侵入を阻止することができ、且つ使用時に素子取付部材７の通路１５をカバー部材８の回転操作によって開放させて、腕時計ケース１外の圧力を圧力センサ素子６で良好に検出することができる。【選択図】        図３
2009281803.tif 000002
【特許請求の範囲】
【請求項１】
機器ケースと、
この機器ケースにその外部側に検出面を向けて配置されたセンサ素子と、
このセンサ素子を覆って前記機器ケースに固定すると共に、前記機器ケースの外部側と前記検出面とに連続する通路を有する素子取付部材と、
この素子取付部材の前記通路を回転操作によって開閉自在に塞ぐカバー部材と
を備えたセンサ装置。
【請求項２】
前記素子取付部材の前記通路は、前記素子取付部材の中心部に対し偏心した位置に、前記センサ素子の前記検出面に対しほぼ垂直方向に向けて設けられた貫通孔であり、
前記カバー部材は、前記素子取付部材を覆う形状に形成されて、前記素子取付部材の前記通路に対応する孔部を有し、且つ前記センサ素子の前記検出面における中心部を回転中心として前記素子取付部材に回転可能に取り付けられ、前記カバー部材の回転操作に応じて前記孔部を前記素子取付部材の前記通路からずらして前記通路を塞ぐことを特徴とする請求項１に記載のセンサ装置。
【請求項３】
前記素子取付部材の前記通路は、その内側孔部が前記センサ素子の前記検出面に対応し、その外側孔部が前記検出面の面方向に向けて前記機器ケースの外部側に開放された連通孔であり、
前記カバー部材は、前記素子取付部材を包み込む形状に形成されて、前記素子取付部材の前記通路における前記外側孔部に対応する孔部を有し、且つ前記センサ素子の前記検出面における中心部を回転中心として前記素子取付部材に回転可能に取り付けられ、前記カバー部材の回転操作に応じて前記孔部を前記素子取付部材の前記通路における前記外側孔部からずらして前記通路を塞ぐことを特徴とする請求項１に記載のセンサ装置。
【請求項４】
前記素子取付部材の前記通路における前記内側孔部と前記外側孔部との間には、その両者を中継する空間部が設けられていることを特徴とする請求項３に記載のセンサ装置。
【請求項５】
前記カバー部材は、前記機器ケースの外周に回転自在に取り付けられて回転操作によって前記素子取付部材の前記通路を開閉自在に塞ぐ閉塞部を有する回転ベゼルであることを特徴とする請求項１に記載のセンサ装置。
【請求項６】
前記カバー部材の回転位置を規制するストッパ部を備えていることを特徴とする請求項１〜５のいずれかに記載のセンサ装置。
【請求項７】
前記カバー部材が前記素子取付部材の前記通路を塞いだ際にオフとなり、前記カバー部材が前記素子取付部材の前記通路を開放した際にオンとなるスイッチ部を備えていることを特徴とする請求項１〜６のいずれかに記載のセンサ装置。
【発明の詳細な説明】
【技術分野】
【０００１】
この発明は、腕時計などの電子機器に組み込まれて温度や圧力などの外部環境を検出するセンサ装置に関する。
【背景技術】
【０００２】
例えば、腕時計に組み込まれたセンサ装置としては、特許文献１に記載されているように、腕時計ケースの側壁部に引出し操作可能に設けられたリューズ内にセンサ素子を設け、このセンサ素子で温度や圧力を検出するように構成したものが知られている。
【特許文献１】特開平０９−５４５９
【０００３】
この種のセンサ装置は、非使用時にセンサ素子への異物の侵入を防ぐために、リューズを押し込んでリューズの内部と腕時計ケースの外部との連通状態を遮断し、リューズを引き出した際に、リューズの内部と腕時計ケースの外部とを連通させて、リューズ内のセンサ素子で腕時計ケースの外部の温度や圧力を検出するように構成されている。
【０００４】
すなわち、このセンサ装置は、リューズが一体に設けられた巻真をパイプ状に形成し、この巻真を腕時計ケースの側壁部に設けられた取付孔内に引出し可能に取り付け、この巻真の内部にセンサ素子を収容すると共に、この巻真における腕時計ケースの外部側に位置する箇所に巻真の内部と外部とに貫通する孔部を設けた構成になっている。
【０００５】
このようなセンサ装置では、リューズを押し込んだ際に、巻真と腕時計ケースの外部との間をリューズによって遮断し、リューズを引き出した際に、巻真と腕時計ケースの外部との間の遮断を解除し、巻真の孔部を通して巻真の内部と腕時計ケースの外部とを連通させることにより、センサ素子で腕時計ケース外の温度や圧力を検出するようになっている。
【発明の開示】
【発明が解決しようとする課題】
【０００６】
しかしながら、このような従来のセンサ装置では、リューズを押し込んで巻真と腕時計ケースの外部との間を確実に遮断するために、巻真が挿入する腕時計ケースの取付孔内に筒状の遮蔽部材を設け、この遮蔽部材の内周面に巻真の外周面に密着して摺動する第１パッキンを設けると共に、巻真の外端部に設けられたリューズの内周面に遮蔽部材の端部が接離可能に密接する第２パッキンを設ける必要がある。このため、構造が複雑になり、部品点数が多く、組立て作業が煩雑になり、製造コストが高くなるなどの問題がある。
【０００７】
この発明が解決しようとする課題は、簡単な構造で、非使用時にセンサ素子への異物の侵入を阻止し、使用時にセンサ素子によって機器の外部環境を良好に検出できるセンサ装置を提供することである。
【課題を解決するための手段】
【０００８】
この発明は、上記課題を解決するために、次のような構成要素を備えている。
請求項１に記載の発明は、機器ケースと、この機器ケースにその外部側に検出面を向けて配置されたセンサ素子と、このセンサ素子を覆って前記機器ケースに固定すると共に、前記機器ケースの外部側と前記検出面とに連続する通路を有する素子取付部材と、この素子取付部材の前記通路を回転操作によって開閉自在に塞ぐカバー部材とを備えたセンサ装置である。
【０００９】
請求項２に記載の発明は、前記素子取付部材の前記通路が、前記素子取付部材の中心部に対し偏心した位置に、前記センサ素子の前記検出面に対しほぼ垂直方向に向けて設けられた貫通孔であり、前記カバー部材は、前記素子取付部材を覆う形状に形成されて、前記素子取付部材の前記通路に対応する孔部を有し、且つ前記センサ素子の前記検出面における中心部を回転中心として前記素子取付部材に回転可能に取り付けられ、前記カバー部材の回転操作に応じて前記孔部を前記素子取付部材の前記通路からずらして前記通路を塞ぐことを特徴とする請求項１に記載のセンサ装置である。
【００１０】
請求項３に記載の発明は、前記素子取付部材の前記通路が、その内側孔部を前記センサ素子の前記検出面に対応させ、その外側孔部を前記検出面の面方向に向けて前記機器ケースの外部側に開放させた連通孔であり、前記カバー部材は、前記素子取付部材を包み込む形状に形成されて、前記素子取付部材の前記通路における前記外側孔部に対応する孔部を有し、且つ前記センサ素子の前記検出面における中心部を回転中心として前記素子取付部材に回転可能に取り付けられ、前記カバー部材の回転操作に応じて前記孔部を前記素子取付部材の前記通路における前記外側孔部からずらして前記通路を塞ぐことを特徴とする請求項１に記載のセンサ装置である。
【００１１】
請求項４に記載の発明は、前記素子取付部材の前記通路における前記内側孔部と前記外側孔部との間に、その両者を中継する空間部が設けられていることを特徴とする請求項３に記載のセンサ装置である。
【００１２】
請求項５に記載の発明は、前記カバー部材が、前記機器ケースの外周に回転自在に取り付けられて回転操作によって前記素子取付部材の前記通路を開閉自在に塞ぐ閉塞部を有する回転ベゼルであることを特徴とする請求項１に記載のセンサ装置である。
【００１３】
請求項６に記載の発明は、前記カバー部材の回転位置を規制するストッパ部を備えていることを特徴とする請求項１〜５のいずれかに記載のセンサ装置である。
【００１４】
請求項７に記載の発明は、前記カバー部材が前記素子取付部材の前記通路を塞いだ際にオフとなり、前記カバー部材が前記素子取付部材の前記通路を開放した際にオンとなるスイッチ部を備えていることを特徴とする請求項１〜６のいずれかに記載のセンサ装置である。
【発明の効果】
【００１５】
この発明によれば、機器ケースに検出面が外部側に向けて配置されたセンサ素子を覆って機器ケースに固定する素子取付部材に、センサ素子の検出面と機器ケースの外部側とに連続する通路を設け、この通路をカバー部材がその回転操作によって開閉自在に塞ぐ構成であるから、構造が簡単で、非使用時に機器の外部とセンサ素子との間を確実に遮断してセンサ素子への異物の侵入を阻止することができると共に、使用時に素子取付部材の通路をカバー部材の回転操作によって開放させることにより、機器ケース外の圧力や温度などの外部環境をセンサ素子によって良好に検出することができる。
【発明を実施するための最良の形態】
【００１６】
（実施形態１）
以下、図１〜図８を参照して、この発明のセンサ装置を腕時計に適用した実施形態１について説明する。
この腕時計は、図１および図２に示すように、腕時計ケース１を備えている。この腕時計ケース１の上部には、時計ガラス２が取り付けられている。この腕時計ケース１の内部には、時計モジュール３が収容されていると共に、この腕時計ケース１の下部には、裏蓋４が取り付けられている。
【００１７】
また、この腕時計ケース１におけるほぼ９時側に位置する側面部には、図１および図２に示すように、圧力センサ装置５が設けられている。この圧力センサ装置５は、図１〜図３に示すように、腕時計ケース１の側面部に配置された圧力センサ素子６と、この圧力センサ素子６を腕時計ケース１の側面部に固定する素子取付部材７と、この素子取付部材７に回転可能に取り付けられたカバー部材８とを備えている。この場合、腕時計ケース１の外側面には、図３に示すように、円筒形状の素子収納部９が腕時計ケース１の外部側に突出して設けられている。
【００１８】
圧力センサ素子６は、図１〜図４に示すように、全体がほぼ円板状に形成され、腕時計ケース１の素子収納部９内に配置されている。すなわち、この圧力センサ素子６は、図３に示すように、腕時計ケース１の外面側（図３では左側）に検出面である受圧面６ａを向けて設けられ、この受圧面６ａが腕時計ケース１の外部側に露出する状態で腕時計ケース１の素子収納部９内に配置されている。
【００１９】
また、この圧力センサ素子６は、腕時計ケース１側の内面側（図３では右側）に一対の電極端子６ｂが設けられ、この一対の電極端子６ｂがフレキシブル基板などの接続部材１０によって腕時計ケース１内に設けられた時計モジュール３の回路基板３ａと電気的に接続されている。これにより、圧力センサ素子６は、受圧面６ａに加わった圧力を電気信号として回路基板３ａに検出するように構成されている。
【００２０】
素子取付部材７は、図１〜図４に示すように、圧力センサ素子６の受圧面６ａを覆って腕時計ケース１の外側面に取り付けられている。すなわち、この素子取付部材７は、素子収納部９の外周に嵌合する円筒部１１を備えている。この円筒部１１における腕時計ケース１から離れた位置の外端部（図３では左端部)には、圧力センサ素子６の受圧面６ａを覆う閉塞部１２が設けられている。
【００２１】
また、この円筒部１１における腕時計ケース１側に位置する内端部（図２では右端部）の外周部には、図３および図４に示すように、鍔部１３が環状に設けられている。これにより、素子取付部材７は、円筒部１１が素子収納部９を包み込んで閉塞部１２が圧力センサ素子６の受圧面６ａを覆った状態で、鍔部１３が腕時計ケース１の外側面にビス１４によって取り付けられることにより、腕時計ケース１に取り付けられている。
【００２２】
この場合、素子取付部材７の閉塞部１２には、図３〜図６に示すように、腕時計ケース１の外部側と圧力センサ素子６の受圧面６ａとに連続する複数の通路１５が同一円上に所定間隔で設けられている。すなわち、この複数の通路１５は、素子取付部材７の中心部に対し偏心した位置に、圧力センサ素子６の受圧面６ａに対しほぼ垂直方向（図３では左右方向）に向けてそれぞれ設けられた貫通孔である。
【００２３】
また、素子取付部材７の閉塞部１２と腕時計ケース１の素子収納部９との間には、図３に示すように、リング状のガスケット１６が設けられている。これにより、素子取付部材７は、その閉塞部１２がガスケット１６を押し付け、このガスケット１６の内周部分が圧力センサ素子６の受圧面６ａの外周部分を素子収納部９内に押え付けることにより、圧力センサ素子６を素子収納部９内に固定するように構成されている。
【００２４】
一方、カバー部材８は、図１〜図４に示すように、素子取付部材７を覆う形状に形成され、圧力センサ素子６の受圧面６ａの中心部を回転中心として素子取付部材７に回転可能に取り付けられている。すなわち、このカバー部材８は、素子取付部材７の円筒部１１の外周に回転可能に嵌合する筒状部１７を備えている。この筒状部１７は、図３に示すように、その内周面と素子取付部材７の円筒部１１の外周面との間に設けられたＯリング１８によって、素子取付部材７の円筒部１１の外周に回転自在に取り付けられている。
【００２５】
この場合、Ｏリング１８は、筒状部１７の内周面に環状に設けられた凹溝１７ａと、素子取付部材７の円筒部１１の外周面に環状に設けられた凹溝１１ａとの両者に跨って設けられている。また、筒状部１７は、その周壁部の厚みが素子取付部材７の鍔部１３の幅とほぼ同じ大きさに形成され、腕時計ケース１側の端面が鍔部１３の外面上を回転移動するように構成されている。また、この筒状部１７における腕時計ケース１の外側に位置する外端部（図３では左端部）には、素子取付部材７の閉塞部１２を覆うカバー部１９が設けられている。
【００２６】
このカバー部１９には、素子取付部材７の複数の通路１５にそれぞれ対応する複数の孔部２０が設けられている。この複数の孔部２０は、図４に示すように、カバー部材８の中心部を回転中心とする同一円上に所定間隔、つまり孔部２０の孔径と同じ間隔、もしくはそれよりも長い間隔で設けられている。これにより、カバー部１９は、図５および図６に示すように、カバー部材８が回転した際に、複数の孔部２０が素子取付部材７の複数の通路１５からそれぞれずれて複数の通路１５の間に位置することにより、素子取付部材７の複数の通路１５を塞ぐように構成されている。
【００２７】
ところで、素子取付部材７には、図３〜図８に示すように、カバー部材８の回転位置を規制するストッパ部２１が設けられている。このストッパ部２１は、腕時計ケース１の側面部にその内外に向けて出没可能に取り付けられたストッパピン２２と、カバー部材８の筒状部１７における素子取付部材７の鍔部１３側に位置する端面に設けられてストッパピン２２の外端部が移動可能に挿入する位置規制溝２３とを備えている。
【００２８】
この場合、ストッパピン２２は、図７および図８に示すように、腕時計ケース１の側面部に設けられた挿入孔１ｂにパッキン２２ａを介して出没方向に移動可能に設けられ、このパッキン２２ａと抜け止めリング２２ｂとの間にばね部材２４が設けられた構成になっている。これにより、ストッパピン２２は、ばね部材２４のばね力によって腕時計ケース１の外部側（図７および図８では左側）に向けて押し出されるように付勢されている。
【００２９】
このため、このストッパピン２２は、図７および図８に示すように、腕時計ケース１の外側に位置する外端部が鍔部１３の孔１３ａを通してカバー部材８の位置規制溝２３内に挿入し、腕時計ケース１の内側に位置する内端部が腕時計ケース１内に出没可能に突出するように構成されている。位置規制溝２３は、カバー部材８の回転中心部を中心とする円弧状に形成され、その長さがカバー部材８の所定の回転角度(例えば、ほぼ４５度の回転角度)の長さで形成されている。
【００３０】
これにより、このストッパ部２１は、図３および図４に示すように、カバー部材８が反時計回りに回転して、素子取付部材７の複数の通路１５とカバー部材８の複数の孔部２０とが対応した状態のときに、図４および図７に示すように、ストッパピン２２の外端部が位置規制溝２３の一端部（図４では左端部）に当接して、カバー部材８の位置を規制するように構成されている。
【００３１】
また、このストッパ部２１は、図５および図６に示すように、カバー部材８が所定角度(例えば、ほぼ４５度)回転して、素子取付部材７の複数の通路１５からカバー部材８の複数の孔部２０がずれて複数の通路１５がカバー部材８のカバー部１９で塞がれた状態のときに、図６および図８に示すように、ストッパピン２２の外端部が位置規制溝２３の他端部（図６では右端部）に当接して、カバー部材８の位置を規制するように構成されている。
【００３２】
この場合、ストッパ部２１の位置規制溝２３には、図７および図８に示すように、素子取付部材７の複数の通路１５とカバー部材８の複数の孔部２０とがそれぞれ対応する方向に向けて、カバー部材８が回転する際に、ストッパ部２１のストッパピン２２を腕時計ケース１内に向けて徐々に押し込むための傾斜面２３ａが設けられている。すなわち、この傾斜面２３ａは、図４および図７に示すように、カバー部材８が反時計回りに回転するときに、ストッパピン２２を腕時計ケース１内に向けて押し込み、また図６および図８に示すように、カバー部材８が逆方向である時計回りに回転するときに、ストッパピン２２をばね部材２４のばね力によって腕時計ケース１の外側に向けて徐々に押し出すように構成されている。
【００３３】
一方、腕時計ケース１内には、図１〜図８に示すように、スイッチ部２５がストッパ部２１のストッパピン２２に対応して設けられている。このスイッチ部２５は、図７および図８に示すように、ストッパピン２２によって押圧操作される操作子２５ａと、この操作子２５ａが接離可能に接触して導通する接点部２５ｂとを備えている。
【００３４】
これにより、スイッチ部２５は、図３および図４に示すように、素子取付部材７の複数の通路１５とカバー部材８の複数の孔部２０とが対応して、位置規制溝２３の傾斜面２３ａによってストッパピン２２が腕時計ケース１内に押し込まれた際に、図７に示すように、ストッパピン２２の内端部によって操作子２５ａが押されて接点部２５ｂに接触することにより、接点部２５ｂが導通してオンになり、圧力センサ素子６によって圧力が検出可能な状態にするように構成されている。
【００３５】
また、このスイッチ部２５は、図５および図６に示すように、カバー部材８が時計回りに所定角度（例えば、ほぼ４５度）回転し、素子取付部材７の複数の通路１５からカバー部材８の複数の孔部２０がずれて、複数の通路１５がカバー部材８のカバー部１９で塞がれた状態のときに、図８に示すように、ストッパピン２２が位置規制溝２３の傾斜面２３ａに沿って腕時計ケース１内から外側に向けて押し出され、これに伴って操作子２５ａが接点部２５ｂから離れることによりオフとなり、圧力センサ素子による圧力の検出を停止させるように構成されている。
【００３６】
次に、この圧力センサ装置５で圧力を検出する場合について説明する。
この場合には、図３および図４に示すように、カバー部材８を反時計回り回転させて、カバー部材８の複数の孔部２０と素子取付部材７の複数の通路１５とをそれぞれ対応させる。すると、素子取付部材７の通路１５がカバー部材８の複数の孔部２０を介して腕時計ケース１の外部に連続する。これにより、腕時計ケース１の外部の圧力が圧力センサ素子６の受圧面６ａに加わる。
【００３７】
このときには、図７に示すように、ストッパ部２１におけるストッパピン２２の外端部が位置規制溝２３内を移動して位置規制溝２３の一端部（図４では左端部）に当接することにより、カバー部材８の回転位置が規制される。また、このときには、位置規制溝２３の傾斜面２３ａによってストッパピン２２が腕時計ケース１内に向けて押し込まれ、この押し込まれたストッパピン２２の内端部がスイッチ部２５の操作子２５ａを押してスイッチ部２５をオンする。これにより、圧力センサ素子６によって腕時計ケース１の外部の圧力を検出することができる。
【００３８】
また、圧力センサ装置５を使用しない場合には、図５および図６に示すように、カバー部材８を逆方向つまり時計回り回転させて、カバー部材８の複数の孔部２０を素子取付部材７の複数の通路１５からずらして、素子取付部材７の複数の通路１５をカバー部１９で塞ぐ。すると、このカバー部材８の複数の孔部２０を介して素子取付部材７の通路１５が腕時計ケース１の外部に連続しないため、腕時計ケース１の外部の圧力が圧力センサ素子６の受圧面６ａに加わらない。
【００３９】
このときには、図８に示すように、ストッパ部２１におけるストッパピン２２の外端部が位置規制溝２３内を移動して位置規制溝部２２の他端部（図６では右端部）に当接し、カバー部材８の位置が規制される。また、このときには、位置規制溝２３の傾斜面２３ａに沿ってストッパピン２２がばね部材２４のばね力で腕時計ケース１の外部側に向けて押し出され、これに伴ってスイッチ部２５の操作子２５ａが接点部２５ｂから離れるので、スイッチ部２５がオフになる。これにより、圧力センサ素子６による腕時計ケース１の外部の圧力検出が停止される。
【００４０】
このように、この圧力センサ装置５によれば、腕時計ケース１に受圧面６ａを外部側に向けて配置された圧力センサ素子６を覆って腕時計ケース１に固定する素子取付部材７に、圧力センサ素子６の受圧面６ａと腕時計ケース１の外部側とに連続する通路１５を設け、この通路１５をカバー部材８がその回転操作によって開閉自在に塞ぐ構成であるから、構造が簡単で、非使用時に腕時計ケース１の外部と圧力センサ素子６との間を確実に遮断して、圧力センサ素子６への異物の侵入を阻止することができると共に、使用時に素子取付部材７の通路１５をカバー部材８の回転操作によって開放することにより、圧力センサ素子６によって腕時計ケース１の外部の圧力を良好に検出することができる。
【００４１】
すなわち、素子取付部材７の通路１５は、素子取付部材７の中心部に対し偏心した位置に、圧力センサ素子６の受圧面６ａに対しほぼ垂直方向に向けて設けられた複数の貫通孔であり、カバー部材８は、素子取付部材７を覆う形状に形成されて、素子取付部材７の通路１５に対応する複数の孔部２０を有し、且つ圧力センサ素子６の受圧面６ａにおける中心部を回転中心として素子取付部材７に回転可能に取り付けられ、カバー部材８の回転操作に応じて複数の孔部２０を素子取付部材７の複数の通路１５からずらして各通路１５を塞ぐ構成であるから、構造が簡単であり、組立て作業が容易にでき、生産性が良く、製造コストを下げることができるほか、非使用時に通路１５を確実に塞ぐことができ、且つ使用時に通路１５を確実に開放させて圧力を良好に検出することができる。
【００４２】
この場合、この圧力センサ装置５は、カバー部材８の回転位置を規制するストッパ部２１を備えているので、カバー部材８を反時計回り回転させて、カバー部材８の複数の孔部２０と素子取付部材７の複数の通路１５とを対応させた際に、カバー部材８の回転位置を確実に規制することができ、またカバー部材８を逆方向に回転させて、カバー部材８の複数の孔部２０を素子取付部材７の複数の通路１５からずらして、素子取付部材７の複数の通路１５をカバー部１９で塞いだ際に、カバー部材８の回転位置を確実に規制することができ、これによっても非使用時に通路１５を確実に塞ぐことができ、且つ使用時に通路１５を確実に開放させて圧力を良好に検出することができる。
【００４３】
また、この圧力センサ装置５は、カバー部材８が素子取付部材７の通路１５を塞いだ際にオフとなり、カバー部材８が素子取付部材７の通路１５を開放した際にオンとなるスイッチ部２５を備えているので、カバー部材８を反時計回り回転させて、カバー部材８の複数の孔部２０と素子取付部材７の複数の通路１５とを対応させたときに、自動的に圧力センサ素子６で腕時計ケース１の外部の圧力を検出することができ、またカバー部材８を逆方向に回転させて、カバー部材８の複数の孔部２０を素子取付部材７の複数の通路１５からずらして、素子取付部材７の複数の通路１５をカバー部１９で塞いだときに、自動的に圧力センサ素子６による腕時計ケース１の外部の圧力検出を停止させることができる。
【００４４】
（実施形態２）
次に、図９〜図１２を参照して、この発明のセンサ装置を腕時計に適用した実施形態２について説明する。なお、図１〜図８に示された実施形態１と同一部分には同一符号を付して説明する。
この腕時計は、圧力センサ装置３０の素子取付部材３１とカバー部材３２とが実施形態１と異なる構成であり、これ以外は実施形態１とほぼ同じ構成になっている。
【００４５】
すなわち、素子取付部材３１は、図９および図１１に示すように、圧力センサ素子６を収納する腕時計ケース１の素子収納部９の外周に嵌合し、且つ素子収納部９から腕時計ケース１の外側に向けて突出する円筒部３３を備えている。この円筒部３３は、その内部に圧力センサ素子６の受圧面６ａを覆う隔壁部３４が設けられていると共に、腕時計ケース１側に位置する内端部の外周に鍔部１３が環状に設けられ、この鍔部１３が腕時計ケース１の外側面にビス１４によって取り付けられることにより、腕時計ケース１に取り付けられている。
【００４６】
この素子取付部材３１には、図９および図１１に示すように、腕時計ケース１の外部側と圧力センサ素子６の受圧面６ａとに連続する通路３５が設けられている。この通路３５は、隔壁部３４に設けられて圧力センサ素子６の受圧面６ａに対応する１つの内側孔部３６と、円筒部３３の外周部に設けられて腕時計ケース１の外部に開放された複数の外側孔部３７と、これら内側孔部３６と外側孔部３７とを連続させるための空間部３８とで構成されている。
【００４７】
この場合、内側孔部３６は、図９および図１０に示すように、素子取付部材３１の隔壁部３４に圧力センサ素子６の受圧面６ａの中心部を中心とする円形状に設けられた貫通孔部である。複数の外側孔部３７は、円筒部３３における隔壁部３４から腕時計ケース１の外側に位置する外周部に所定間隔で円周方向に沿って設けられた複数の貫通孔部である。空間部３８は、図９および図１０に示すように、円筒部３３の隔壁部３４から腕時計ケース１の外側に位置する円筒部３３内に位置する空間であり、隔壁部３４の内側孔部３６と円筒部３３の外周部の外側孔部３７とを中継するように構成されている。
【００４８】
また、この場合にも、素子取付部材３１の隔壁部３４と腕時計ケース１の素子収納部９の外端部との間には、実施形態１と同様、リング状のガスケット１６が設けられている。これにより、素子取付部材３１は、その内部の隔壁部３４がガスケット１６を押し付け、このガスケット１６の内周部分が圧力センサ素子６の受圧面６ａの外周部分を素子収納部９内に押え付けることにより、圧力センサ素子６を素子収納部９内に固定するように構成されている。
【００４９】
一方、カバー部材３２は、図９〜図１２に示すように、素子取付部材３１を包み込む形状に形成され、圧力センサ素子６の受圧面６ａの中心部を回転中心として素子取付部材３１に回転可能に取り付けられている。すなわち、このカバー部材３２は、素子取付部材３１の円筒部３３の外周に回転可能に嵌合する筒状部４０を備えている。この筒状部４０は、その内周面と素子取付部材３１の円筒部３３の外周面との間に設けられたＯリング１８によって、実施形態１と同様、素子取付部材３１の円筒部３３の外周に回転自在に取り付けられている。
【００５０】
この場合、Ｏリング１８は、素子取付部材３１の円筒部３３における隔壁部３４よりも腕時計ケース１側に位置する外周面に環状に設けられた凹溝３３ａと、これに対応する筒状部４０の内周面に環状に設けられた凹溝４０ａとの両者に跨って設けられている。また、筒状部４０の外周部には、図９および図１０に示すように、通路３５の複数の外側孔部３７にそれぞれ対応する複数の孔部４１が設けられている。この複数の孔部４１は、図９〜図１２に示すように、カバー部材３２の筒状部４０の外周部に所定間隔、つまり孔部４１の孔径よりも長い間隔で設けられている。
【００５１】
これにより、カバー部材３２は、図１０に示すように、反時計回りに回転して複数の孔部４１がそれぞれ通路３５の複数の外側孔部３７に対応すると、図９に示すように、複数の外側孔部３７が腕時計ケース１の外部に開放され、また図１２に示すように、逆方向つまり時計回りに回転して複数の孔部４１がそれぞれ通路３５の複数の外側孔部３７からずれて、各外側孔部３７の間に位置すると、図１１に示すように、複数の外側孔部３７を塞ぐように構成されている。
【００５２】
また、この筒状部４０における腕時計ケース１から離れた位置の外端部（図９では左端部）には、図９および図１１に示すように、素子取付部材３１の円筒部３３を覆って円筒部３３内の空間部３８を塞ぐためのカバー部４２が設けられている。この筒状部４０における腕時計ケース１側に位置する端部の外周部には、円筒部３３の鍔部１３に対応するガイド鍔部４３が設けられている。これにより、カバー部材３２は、そのガイド鍔部４３が素子取付部材３１の鍔部１３の外面上を回転移動するように構成されている。
【００５３】
この場合にも、素子取付部材３１には、図９および図１１に示すように、カバー部材３２の回転位置を規制するストッパ部２１が設けられている。このストッパ部２１は、実施形態１と同様、腕時計ケース１の側面部にその内外に向けて出没可能に取り付けられたストッパピン２２と、カバー部材３２の筒状部４０のガイド鍔部４３に設けられてストッパピン２２が移動可能に挿入する位置規制溝２３とを備えている。
【００５４】
このストッパ部２１も、図９および図１０に示すように、素子取付部材３１の通路３５における複数の外側孔部３７とカバー部材３２の複数の孔部４１とがそれぞれ対応した状態のときに、図１０に示すように、ストッパピン２２が位置規制溝２３の一端部（図１０では左端部）に当接することにより、実施形態１と同様、カバー部材３２の回転位置を規制するように構成されている。
【００５５】
また、このストッパ部２１も、カバー部材３２が所定角度回転して、図１１および図１２に示すように、素子取付部材３１の通路３５における複数の外側孔部３７からカバー部材３２の複数の孔部４１がずれて、複数の外側孔部３７がカバー部材３２の筒状部４０で塞がれた状態のときに、図１２に示すように、ストッパピン２２が位置規制溝２３の他端部（図１２では右端部）に当接することにより、実施形態１と同様、カバー部材３２の回転位置を規制するように構成されている。
【００５６】
さらに、腕時計ケース１内には、図９および図１１に示すように、スイッチ部２５がストッパ部２１のストッパピン２２に対応して設けられている。このスイッチ部２５は、実施形態１と同様、素子取付部材３１の通路３５における複数の外側孔部３７とカバー部材３２の複数の孔部４１とが対応するときに、位置規制溝２３の傾斜面２３ａによってストッパピン２２が腕時計ケース１内に向けて押し込まれ(図７、図８参照)、この押し込まれたストッパピン２２の内端部によって操作子２５ａが押されて接点部２５ｂに接触することによりオンとなり、圧力センサ素子６によって圧力が検出可能な状態にするように構成されている。
【００５７】
また、このスイッチ部２５は、カバー部材３２が所定角度回転して、図１２に示すように、素子取付部材３２の通路３５における複数の外側孔部３７からカバー部材３２の筒状部４０に設けられた複数の孔部４１がずれて、複数の外側孔部３７がカバー部材３２の筒状部４０で塞がれた状態のときに、ストッパピン２２が位置規制溝２３の傾斜面２３ａに沿って腕時計ケース１の外側に向けて押し出され(図７、図８参照)、これに伴って操作子２５ａが接点部２５ｂから離れることによりオフとなり、圧力センサ素子６による圧力の検出を停止させるように構成されている。
【００５８】
次に、この圧力センサ装置３０で圧力を検出する場合について説明する。
この場合には、カバー部材３２を反時計回りに回転させて、図９および図１０に示すように、カバー部材３２の筒状部４０に設けられた複数の孔部４１と素子取付部材３１の通路３５における複数の外側孔部３７とをそれぞれ対応させると、カバー部材３２の筒状部４０に設けられた複数の孔部４１を介して、素子取付部材３１の通路３５が腕時計ケース１の外部に連続する。
【００５９】
すなわち、図９および図１０に示すように、通路３５の内側孔部３６が圧力センサ素子６の受圧面６ａに対応し、この内側孔部３６が円筒部３３内の空間部３８を介して複数の外側孔部３７に連続している。これにより、カバー部材３２の筒状部４０に設けられた複数の孔部４１が素子取付部材３１の通路３５における複数の外側孔部３７に対応すると、この複数の外側孔部３７が腕時計ケース１の外部に開放されるので、カバー部材３２の複数の孔部４１を介して、腕時計ケース１の外部の圧力が圧力センサ素子６の受圧面６ａに加わる。
【００６０】
このときには、ストッパ部２１のストッパピン２２が位置規制溝２３内を移動して位置規制溝部２２の一端部（図１０では左端部）に当接することにより、実施形態１と同様、カバー部材３２の回転位置が規制される。また、このときには、位置規制溝２３の傾斜面２３ａによってストッパピン２２が腕時計ケース１内に向けて押し込まれ、この押し込まれたストッパピン２２の内端部によって操作子２５ａが押されて接点部２５ｂに接触するので、実施形態１と同様、スイッチ部２５がオンする。これにより、圧力センサ素子６によって腕時計ケース１の外部の圧力を検出することができる。
【００６１】
また、圧力センサ装置３０を使用しない場合には、カバー部材３２を逆方向つまり時計回りに回転させて、図１１および図１２に示すように、カバー部材３２の筒状部４０における複数の孔部４１を、素子取付部材３１の通路３５における複数の外側孔部３７からずらして、カバー部材３２の筒状部４０で通路３５における複数の外側孔部３７を塞ぐ。すると、腕時計ケース１の外部の圧力が遮断されて圧力センサ素子６の受圧面６ａに加わらない。
【００６２】
このときには、ストッパ部２１のストッパピン２２が位置規制溝２３内を移動して位置規制溝部２２の他端部（図１２では右端部）に当接することにより、実施形態１と同様、カバー部材３２の回転位置が規制される。また、このときには、位置規制溝２３の傾斜面２３ａに沿ってストッパピン２２が腕時計ケース１内から外側に向けて押し出され、これに伴ってスイッチ部２５の操作子２５ａが接点部２５ｂから離れるので、実施形態１と同様、スイッチ部２５がオフになる。これにより、圧力センサ素子６による腕時計ケース１の外部の圧力検出が停止される。
【００６３】
このように、この圧力センサ装置３０によれば、腕時計ケース１に受圧面６ａを外部側に向けて配置された圧力センサ素子６を覆って腕時計ケース１に固定する素子取付部材３２に、その受圧面６ａと腕時計ケース１の外部側とに連続する通路３５を設け、この通路３５をカバー部材３２がその回転操作によって開閉自在に塞ぐ構成であるから、実施形態１と同様、構造が簡単で、非使用時に腕時計ケース１の外部と圧力センサ素子６との間を確実に遮断して、圧力センサ素子６への異物の侵入を阻止することができると共に、使用時に素子取付部材３１の通路３５をカバー部材３２の回転操作によって開放することにより、腕時計ケース１の外部の圧力を圧力センサ素子６によって良好に検出することができる。
【００６４】
すなわち、素子取付部材３１の通路３５は、その内側孔部３６を受圧面６ａに対応させ、複数の外側孔部３７を受圧面６ａの面方向に向けて腕時計ケース１の外部側にそれぞれ開放させた連通孔であり、カバー部材３２は、素子取付部材３１を包み込む形状に形成されて、素子取付部材３１の通路３５における複数の外側孔部３７に対応する複数の孔部４１を有し、且つ圧力センサ素子６の受圧面６ａにおける中心部を回転中心として素子取付部材３１に回転可能に取り付けられ、カバー部材３２の回転操作に応じて孔部４１を素子取付部材３１の通路３５における複数の外側孔部３７からずらして通路３５を塞ぐ構成であるから、実施形態１と同様、構造が簡単であり、組立て作業が容易にでき、生産性が良く、製造コストを下げることができるほか、非使用時に通路３５を確実に塞ぐことができ、且つ使用時に通路３５を確実に開放させて圧力を良好に検出することができる。
【００６５】
この場合、この圧力センサ装置３０では、素子取付部材３１の通路３５が、その内側孔部３６を受圧面６ａに対応させ、複数の外側孔部３７を受圧面６ａの面方向に向けて腕時計ケース１の外部側にそれぞれ開放させた連通孔であり、素子取付部材３１の通路３５における内側孔部３６と複数の外側孔部３７との間に、その両者を中継する空間部３８が設けられているので、腕時計ケース１を水平な状態、例えば腕時計ケース１を腕に取り付けた状態で、複数の外側孔部３７を腕時計ケース１に対し上下方向に位置させることができる。
【００６６】
このため、複数の外側孔部３７から空間部３８内に水などの液体が異物として侵入しても、その侵入した液体などの異物を腕時計ケース１に対し下側に位置する外側孔部３７から外部に排出することができる。また、外側孔部３７に爪楊枝や針などの細い棒を挿入しても、その先端が圧力センサ素子６の受圧面６ａに到達することがないので、圧力センサ素子６の受圧面６ａを傷付けないようにすることもできる。
【００６７】
（実施形態３）
次に、図１３〜図１８を参照して、この発明のセンサ装置を腕時計に適用した実施形態３について説明する。この場合にも、図１〜図８に示された実施形態１と同一部分に同一符号を付して説明する。
この腕時計は、圧力センサ装置５０の圧力センサ素子６と素子取付部材５１とを腕時計ケース１の側面部内に埋め込んだ状態で取り付けると共に、腕時計ケース１の上部外周に回転可能に取り付けられたカバー部材である回転ベゼル５２で素子取付部材５１を開閉可能に覆う構成であり、これ以外は実施形態１とほぼ同じ構成になっている。
【００６８】
すなわち、腕時計ケース１におけるほぼ１０時位置に対応する側面部には、図１３および図１４に示すように、その内外に貫通する段差孔５３が設けられている。この段差孔５３は、腕時計ケース１側に位置する内部側が小径の円形孔部に形成され、腕時計ケース１の外側に位置する外部側が長方形の角孔部に形成されている。これにより、段差孔５３の内部側の円形孔部内には、圧力センサ素子６がその受圧面６ａを外部側に向けて配置されており、外部側の角孔部内には、素子取付部材５１が配置されている。
【００６９】
この場合、素子取付部材５１は、ほぼ長方形の平板状に形成され、その外側面が腕時計ケース１の外周面と同じ円弧状の凸曲面に形成され、図１３に示すように、ビス１４によって腕時計ケース１に取り付けられている。この素子取付部材５１には、実施形態１と同様、腕時計ケース１の外部側と圧力センサ素子６の受圧面６ａとに連続する複数の通路１５が設けられている。この複数の通路１５は、実施形態１と同様、圧力センサ素子６の受圧面６ａに対しほぼ垂直方向（図１４では左右方向）に向けてそれぞれ設けられた貫通孔である。
【００７０】
また、この素子取付部材５１と圧力センサ素子６との間にも、実施形態１と同様、リング状のガスケット１６が設けられている。これにより、素子取付部材５１は、ガスケット１６を腕時計ケース１側に向けて押し付け、この押し付けられたガスケット１６の内周部分が圧力センサ素子６の受圧面６ａの外周部分を押え付けることにより、圧力センサ素子６を段差孔５３の小径の円形孔部内に固定するように構成されている。
【００７１】
一方、回転ベゼル５２は、図１３〜図１６に示すように、全体がほぼリング状に形成され、腕時計ケース１の上面から側面上部に亘って配置され、腕時計ケース１の側面上部に設けられた取付リング５４によって腕時計ケース１の上部外周に回転可能に取り付けられている。この回転ベゼル５２には、図１５および図１６に示すように、素子取付部材５１を開閉可能に覆う閉塞部５５が設けられている。この閉塞部５５は、素子取付部材５１の円周方向の長さとほぼ同じ長さで、回転ベゼル５２の下端部から腕時計ケース１の側面に沿って下側に延び、その内側面が腕時計ケース１および素子取付部材５１の各外側面と同じ円弧状の凹曲面に形成されている。
【００７２】
これにより、回転ベゼル５２の閉塞部５５は、回転ベゼル５２の回転に伴って腕時計ケース１の側面に沿って移動することにより、素子取付部材５１を開閉可能に覆って素子取付部材５１の複数の通路１５を開放可能に塞ぐように構成されている。この場合、腕時計ケース１の上部外周には、図１３および図１５に示すように、回転ベゼル５２の回転位置を規制するストッパ部５６が設けられている。
【００７３】
このストッパ部５６は、図１３に示すように、回転ベゼル５２が反時計回りに回転して閉塞部５５が素子取付部材５１から離れた位置に移動した際に、閉塞部５５の一端部（図１３では下辺部）が当接する第１当接部５６ａと、図１５に示すように、回転ベゼル５２が逆方向つまり時計回りに回転して閉塞部５５が素子取付部材５１を覆った際に、閉塞部５５の他端部（図１５では上辺部）が当接する第２当接部５６ｂとを備えている。
【００７４】
また、この腕時計ケース１内にも、図１３に示すように、スイッチ部５７が設けられている。このスイッチ部５７は、図１７および図１８に示すように、腕時計ケース１の側壁部に取り付けられて腕時計ケース１の内外に向けて出没する操作ピン５８と、この操作ピン５８と共に移動する操作子２５ａと、この操作子２５ａが接離可能に接触する接点部２５ｂとを備えている。
【００７５】
この場合、操作ピン５８は、図１７および図１８に示すように、腕時計ケース１の側面部に設けられた挿入孔１ｂ内にパッキン５８ａを介して出没方向に移動可能に配置され、このパッキン５８ａと抜け止めリング５８ｂとの間に配置されたばね部材５９によって腕時計ケース１の外側に向けて付勢され、この状態で回転ベゼル５２の閉塞部５５によって押圧操作されるように構成されている。
【００７６】
すなわち、このスイッチ部５７は、図１３および図１４に示すように、回転ベゼル５２の閉塞部５５が素子取付部材５１の複数の通路１５から離れた際に、図１７に示すように、操作ピン５８がばね部材５９のばね力によって腕時計ケース１の外部に向けて押し出され、この押し出された操作ピン５８によって操作子２５ａが接点部２５ｂに接触することによりオンとなり、圧力センサ素子６によって圧力が検出可能な状態にするように構成されている。
【００７７】
また、このスイッチ部５７は、回転ベゼル５２が時計回りに回転し、図１５および図１６に示すように、素子取付部材５１の複数の通路１５を回転ベゼル５２の閉塞部５５が覆って複数の通路１５を塞いだときに、図１８に示すように、操作ピン５８が閉塞部５５によって腕時計ケース１内に押し込まれ、この押し込まれた操作ピン５８と共に操作子２５ａが移動して接点部２５ｂから離れることによりオフとなり、圧力センサ素子による圧力の検出を停止させるように構成されている。
【００７８】
次に、この圧力センサ装置５０で圧力を検出する場合について説明する。
この場合には、回転ベゼル５２を反時計回り回転させて、図１３および図１４に示すように、回転ベゼル５２の閉塞部５５を素子取付部材５１から離れた位置に回転移動させる。すると、素子取付部材５１の複数の通路１５が腕時計ケース１の外部に開放される。これにより、腕時計ケース１の外部の圧力が圧力センサ素子６の受圧面６ａに加わる。
【００７９】
このときには、回転ベゼル５２の閉塞部５５が移動して、閉塞部５５の一端部（図１３では下端部）がストッパ部５６の第１当接部５６ａに当接することにより、回転ベゼル５２の回転位置が規制される。また、このときには、回転ベゼル５２の閉塞部５５が操作ピン５８から離れ、この操作ピン５８がばね力によって腕時計ケース１内から外側に向けて押し出され、この操作ピン５８と共に操作子２５ａが移動して接点部２５ｂに接触することにより、スイッチ部５７がオンする。これにより、圧力センサ素子６によって腕時計ケース１の外部の圧力を検出することができる。
【００８０】
また、圧力センサ装置３を使用しない場合には、回転ベゼル５２を逆方向つまり時計回り回転させて、図１５および図１６に示すように、回転ベゼル５２の閉塞部５５が素子取付部材５１を覆って素子取付部材５１の複数の通路１５を塞ぐ。これにより、素子取付部材５１の通路１５が塞がれるため、腕時計ケース１の外部の圧力が圧力センサ素子６の受圧面６ａに加わらない。
【００８１】
このときには、回転ベゼル５２の閉塞部５５が移動して、閉塞部５５の他端部（図１５では上辺部）がストッパ部５６の第２当接部５６ｂに当接することにより、回転ベゼル５２の回転位置が規制される。また、このときには、回転ベゼル５２の閉塞部５５が操作ピン５８をばね部材５９のばね力に抗して腕時計ケース１内に向けて押し込み、この押し込まれた操作ピン５８が操作子２５ａを押し込み、この操作子２５ａが接点部２５ｂから離れることにより、スイッチ部５７がオフになる。これにより、圧力センサ素子６による腕時計ケース１の外部の圧力検出が停止される。
【００８２】
このように、この圧力センサ装置５０によれば、腕時計ケース１に受圧面６ａを外部側に向けて配置された圧力センサ素子６を覆って腕時計ケース１に固定する素子取付部材５１を、圧力センサ素子６の受圧面６ａと腕時計ケース１の外部側とに連続する通路１５を設け、この通路１５を回転ベゼル５２の閉塞部５５がその回転操作によって開閉自在に塞ぐ構成であるから、実施形態１と同様、構造が簡単で、非使用時に腕時計ケース１の外部と圧力センサ素子６との間を確実に遮断して、圧力センサ素子６への異物の侵入を阻止することができると共に、使用時に素子取付部材５１の通路１５を回転ベゼル５２の回転操作によって開放することにより、圧力センサ素子６で腕時計ケース１の外部の圧力を検出することができる。
【００８３】
すなわち、素子取付部材５１の通路１５は、圧力センサ素子６の受圧面６ａに対しほぼ垂直方向に設けられた複数の貫通孔であり、カバー部材である回転ベゼル５２は、腕時計ケース１の上部外周に回転自在に取り付けられ、その回転操作によって素子取付部材５１を覆って素子取付部材５１の通路１５を開閉自在に塞ぐ閉塞部５５を有する構成であるから、実施形態１と同様、構造が簡単であり、組立て作業が容易にでき、生産性が良く、製造コストを下げることができるほか、非使用時に通路１５を確実に塞ぐことができ、且つ使用時に通路１５を確実に開放させて圧力を良好に検出することができる。
【００８４】
この場合、この圧力センサ装置５０は、カバー部材である回転ベゼル５２の回転位置を規制するストッパ部５６を備えているので、回転ベゼル５２を反時計回り回転させて、回転ベゼル５２の閉塞部５５が素子取付部材５１から離れた位置に移動した際に、閉塞部５５が第１当接部５６ａに当接することにより、回転ベゼル５２の回転位置を確実に規制することができ、また回転ベゼル５２を逆方向に回転させて、回転ベゼル５２の閉塞部５５で素子取付部材５１を覆って素子取付部材５１の複数の通路１５を塞いだ際に、閉塞部５５が第２当接部５６ｂに当接することにより、回転ベゼル５２の回転位置を確実に規制することができる。このため、これによっても非使用時に通路１５を確実に塞ぐことができ、且つ使用時に通路１５を確実に開放させて圧力を良好に検出することができる。
【００８５】
また、この圧力センサ装置５０も、回転ベゼル５２の閉塞部５５が素子取付部材５１の通路１５を塞いだ際にオフとなり、回転ベゼル５２の閉塞部５５が素子取付部材７の通路１５を開放した際にオンとなるスイッチ部５７を備えているので、回転ベゼル５２を反時計回り回転させて、回転ベゼル５２の閉塞部５５が素子取付部材５１の複数の通路１５から離れたときに、自動的に圧力センサ素子６で腕時計ケース１の外部の圧力を検出することができ、また回転ベゼル５２を逆方向に回転させて、回転ベゼル５２の閉塞部５５が素子取付部材７の複数の通路１５を覆って塞いだときに、自動的に圧力センサ素子６による腕時計ケース１の外部の圧力検出を停止させることができる。
【００８６】
（実施形態４）
次に、図１９〜図２５を参照して、この発明のセンサ装置を腕時計に適用した実施形態４について説明する。この場合には、図１３〜図１８に示された実施形態３と同一部分に同一符号を付して説明する。
この腕時計は、圧力センサ装置６０の圧力センサ素子６と素子取付部材５１とを腕時計ケース１の１１時付近に位置する上面部内に埋め込んだ状態で取り付け、腕時計ケース１の上部外周に回転可能に取り付けられたカバー部材である回転ベゼル５２の閉塞部６１で素子取付部材５１を開閉可能に覆う構成であり、これ以外は実施形態３とほぼ同じ構成になっている。
【００８７】
すなわち、腕時計ケース１の１１時付近に位置する上面部には、図１９および図２０に示すように、圧力センサ素子６および素子取付部材５１を収納する収納凹部６２が上方に開放されて設けられている。この収納凹部６２内の底部側には、圧力センサ素子６がその受圧面６ａを外部上方に向けて配置されている。
【００８８】
また、この収納凹部６２内の上部側には、圧力センサ素子６の受圧面６ａを覆う素子取付部材５１がガスケット１６を介してビス１４によって取り付けられている。この素子取付部材５１には、実施形態３と同様、腕時計ケース１の外部側と圧力センサ素子６の受圧面６ａとに連続する複数の通路１５が設けられている。この複数の通路１５は、圧力センサ素子６の受圧面６ａに対しほぼ垂直方向（図１９では上下方向）に向けてそれぞれ設けられた貫通孔である。
【００８９】
一方、回転ベゼル５２は、実施形態３と同様、腕時計ケース１の上面から側面上部に亘って配置され、腕時計ケース１の上部側に設けられた取付リング５４によって腕時計ケース１の上部外周に回転可能に取り付けられている。この回転ベゼル５２には、図２２および図２３に示すように、素子取付部材５１を開閉可能に覆う閉塞部６１が設けられている。この閉塞部６１は、素子取付部材５１の外形よりも少し大きく形成され、回転ベゼル５２の外周部に腕時計ケース１の上面における外周側に向けて突出して形成されている。
【００９０】
これにより、回転ベゼル５２の閉塞部６１は、回転ベゼル５２の回転に伴って腕時計ケース１の上面外周に沿って移動することにより、素子取付部材５１を開閉可能に覆って素子取付部材５１の複数の通路１５を開放可能に塞ぐように構成されている。この場合、腕時計ケース１には、図１９および図２２に示すように、回転ベゼル５２の回転位置を規制するストッパ部６３が設けられている。
【００９１】
このストッパ部６３は、図１９に示すように、回転ベゼル５２が反時計回りに回転して閉塞部６１が素子取付部材５１から離れてほぼ７時付近に移動した際に、閉塞部６１の一端部（図１９では下辺部）が当接する第１当接部６３ａと、図２２に示すように、回転ベゼル５２が逆方向つまり時計回りに回転して閉塞部６１が素子取付部材５１を覆った際に、閉塞部６１の他端部（図２２では上辺部）が当接する第２当接部６３ｂとを備えている。
【００９２】
また、この腕時計ケース１内にも、図２１に示すように、スイッチ部６５が設けられている。このスイッチ部６５は、図２４および図２５に示すように、腕時計ケース１に上下方向に移動可能に取り付けられて、腕時計ケース１の上面側から腕時計ケース１内に延びる操作ピン６６と、この操作ピン６６の内端部と共に上下方向に移動する操作子２５ａと、この操作子２５ａが接離可能に接触する接点部２５ｂとを備えている。
【００９３】
この場合、操作ピン６６は、図２４および図２５に示すように、その垂直部６６ａが腕時計ケース１に上下方向に設けられた挿入孔１ｃ内にパッキン５８ａを介して上下方向に移動可能に配置され、このパッキン５８ａと抜け止めリング５８ｂとの間に配置されたばね部材６７によって腕時計ケース１の上側に向けて付勢され、回転ベゼル５２の閉塞部６１によって押圧操作されるように構成されている。また、この操作ピン６６は、その水平部６６ｂが腕時計ケース１の下部側に水平方向に沿って設けられたスライド孔１ｄ内に上下方向に移動可能に配置され、その内側端部が腕時計ケース１内に突出した構成になっている。
【００９４】
すなわち、このスイッチ部６５は、図１９および図２０に示すように、回転ベゼル５２の閉塞部６１が素子取付部材５１から離れてほぼ７時位置付近に移動した際に、図２４に示すように、操作ピン６６がばね部材６７のばね力によって腕時計ケース１の外部上方に向けて押し出され、この押し出された操作ピン６６に伴って操作子２５ａが押し上げられて接点部２５ｂに接触することによりオンとなり、圧力センサ素子６によって圧力が検出可能な状態になるように構成されている。
【００９５】
また、このスイッチ部６５は、回転ベゼル５２が時計回りに回転し、図２２および図２３に示すように、素子取付部材５１の複数の通路１５を回転ベゼル５２の閉塞部６１が覆って複数の通路１５を塞いだときに、図２５に示すように、操作ピン６６が閉塞部６１によって腕時計ケース１内に押し込まれ、この押し込まれた操作ピン６６に伴って操作子２５ａが押し下げられて接点部２５ｂから離れることによりオフとなり、圧力センサ素子による圧力の検出を停止させるように構成されている。
【００９６】
次に、この圧力センサ装置６０で圧力を検出する場合について説明する。
この場合には、回転ベゼル５２を反時計回り回転させて、図１９および図２０に示すように、回転ベゼル５２の閉塞部６１を素子取付部材５１から離れた位置に回転移動させる。すると、素子取付部材５１の複数の通路１５が腕時計ケース１の外部に開放される。これにより、腕時計ケース１の外部の圧力が圧力センサ素子６の受圧面６ａに加わる。
【００９７】
このときには、回転ベゼル５２の閉塞部６１が移動して閉塞部６１の一端部（図１９では下辺部）がストッパ部６３の第１当接部６３ａに当接することにより、回転ベゼル５２の回転位置が規制される。また、このときには、図２４に示すように、回転ベゼル５２の閉塞部６１が操作ピン６６から離れ、この操作ピン６６が腕時計ケース１の上方に向けて押し出され、これに伴って操作子２５ａが接点部２５ｂに接触することにより、スイッチ部６５がオンする。これにより、圧力センサ素子６によって腕時計ケース１の外部の圧力を検出することができる。
【００９８】
また、圧力センサ装置６０を使用しない場合には、回転ベゼル５２を逆方向つまり時計回り回転させると、図２２および図２３に示すように、回転ベゼル５２の閉塞部６１が素子取付部材５１を覆って素子取付部材５１の複数の通路１５を塞ぐ。これにより、素子取付部材５１の通路１５が塞がれるため、腕時計ケース１の外部の圧力が圧力センサ素子６の受圧面６ａに加わらない。
【００９９】
このときには、回転ベゼル５２の閉塞部６１が移動して閉塞部６１の他端部（図２２では上辺部）がストッパ部６３の第２当接部６３ｂに当接し、回転ベゼル５２の回転位置が規制される。また、このときには、図２５に示すように、回転ベゼル５２の閉塞部６１が操作ピン６６を腕時計ケース１内に向けて押し込み、この押し込まれた操作ピン６６によって操作子２５ａが押し下げられて接点部２５ｂから離れることにより、スイッチ部６５がオフになる。これにより、圧力センサ素子６による腕時計ケース１の外部の圧力検出が停止される。
【０１００】
このように、この圧力センサ装置６０によれば、腕時計ケース１に受圧面６ａを外部側に向けて配置された圧力センサ素子６を覆って腕時計ケース１に固定する素子取付部材５１を、圧力センサ素子６の受圧面６ａと腕時計ケース１の外部側とに連続する通路１５を設け、この通路１５を回転ベゼル５２の閉塞部６１がその回転操作によって開閉自在に塞ぐ構成であるから、実施形態３と同様、構造が簡単で、非使用時に腕時計ケース１の外部と圧力センサ素子６との間を確実に遮断して、圧力センサ素子６への異物の侵入を阻止することができると共に、使用時に素子取付部材５１の通路１５を回転ベゼル５２の回転操作によって開放することにより、圧力センサ素子６で腕時計ケース１の外部の圧力を良好に検出することができる。
【０１０１】
すなわち、素子取付部材５１の通路１５は、圧力センサ素子６の受圧面６ａに対しほぼ垂直方向に向けて設けられた複数の貫通孔であり、カバー部材である回転ベゼル５２は、腕時計ケース１の外周に回転自在に取り付けられ、その回転操作によって素子取付部材５１を覆って素子取付部材５１の通路１５を開閉自在に塞ぐ閉塞部６１を有する構成であるから、実施形態３と同様、構造が簡単であり、組立て作業が容易にでき、生産性が良く、製造コストを下げることができるほか、非使用時に通路１５を確実に塞ぐことができ、且つ使用時に通路１５を確実に開放させて圧力を良好に検出することができる。
【０１０２】
この場合にも、この圧力センサ装置６０は、カバー部材である回転ベゼル５２の回転位置を規制するストッパ部６３を備えているので、回転ベゼル５２を反時計回り回転させて、回転ベゼル５２の閉塞部６１が素子取付部材５１から離れた位置に移動した際に、閉塞部６１がストッパ部６３の第１当接部６３ａに当接することにより、回転ベゼル５２の回転位置を確実に規制することができると共に、回転ベゼル５２を逆方向に回転させて、回転ベゼル５２の閉塞部６１で素子取付部材５１を覆って素子取付部材５１の複数の通路１５を塞いだ際に、閉塞部６１がストッパ部６３の第２当接部６３ｂに当接することにより、回転ベゼル５２の回転位置を確実に規制することができ、これによっても非使用時に通路１５を確実に塞ぐことができ、且つ使用時に通路１５を確実に開放させて圧力を良好に検出することができる。
【０１０３】
また、この圧力センサ装置６０も、回転ベゼル５２の閉塞部６１が素子取付部材５１の通路１５を塞いだ際にオフとなり、回転ベゼル５２の閉塞部６１が素子取付部材７の通路１５を開放した際にオンとなるスイッチ部６５を備えているので、回転ベゼル５２を反時計回り回転させて、回転ベゼル５２の閉塞部６１が素子取付部材５１の複数の通路１５から離れたときに、自動的に圧力センサ素子６で腕時計ケース１の外部の圧力を検出することができ、また回転ベゼル５２を逆方向に回転させて、回転ベゼル５２の閉塞部６１が素子取付部材７の複数の通路１５を覆って塞いだときに、自動的に圧力センサ素子６による腕時計ケース１の外部の圧力検出を停止させることができる。
【０１０４】
なお、上記実施形態１〜４では、センサ素子として圧力センサ素子６を用いた圧力センサ装置に適用した場合について述べたが、これに限らず、例えばセンサ素子として温度センサ素子を用いた温度センサ装置にも適用することができる。
【０１０５】
また、上記実施形態１〜４およびその変形例では腕時計に適用した場合について述べたが、必ずしも腕時計である必要はなく、例えばトラベルウオッチ、目覚まし時計、置き時計、掛け時計などの各種の時計に適用することができ、また時計に限らず、携帯電話機や電卓、あるいは携帯情報処理装置（ＰＤＡ：パーソナル・デジタル・アシスタント）などの各種の電子機器にも広く適用することができる。
【図面の簡単な説明】
【０１０６】
【図１】この発明のセンサ装置を適用した腕時計の実施形態１を示した一部破断した拡大正面図である。
【図２】図１のＡ−Ａ矢視における拡大断面図である。
【図３】図２の圧力センサ装置を示した要部の拡大断面図である。
【図４】図３の圧力センサ装置を示した要部の拡大側面図である。
【図５】図３の状態でカバー部材を回転させて素子取付部材の通路を塞いだ状態を示した要部の拡大断面図である。
【図６】図５の圧力センサ装置を示した要部の拡大側面図である。
【図７】図３におけるストッパ部およびスイッチ部を示した要部の拡大断面図である。
【図８】図７の状態でストッパ部によってスイッチ部がオフになった状態を示した要部の拡大断面図である。
【図９】この発明のセンサ装置を適用した腕時計の実施形態２における要部の拡大断面図である。
【図１０】図９のＢ−Ｂ矢視における要部の拡大断面図である。
【図１１】図９の状態でカバー部材を回転させて素子取付部材の通路を塞いだ状態を示した要部の拡大断面図である。
【図１２】図１１のＣ−Ｃ矢視における要部の拡大断面図である。
【図１３】この発明のセンサ装置を適用した腕時計の実施形態３を示した一部破断した拡大正面図である。
【図１４】図１３のＤ−Ｄ矢視における要部の拡大断面図である。
【図１５】図１３の状態で回転ベゼルを回転させて素子取付部材の通路を塞いだ状態を示した拡大正面図である。
【図１６】図１５のＥ−Ｅ矢視における要部の拡大断面図である。
【図１７】図１３におけるスイッチ部のオン状態を示した要部の拡大断面図である。
【図１８】図１５におけるスイッチ部のオフ状態を示した要部の拡大断面図である。
【図１９】この発明のセンサ装置を適用した腕時計の実施形態４を示した正面図である。
【図２０】図１９のＦ−Ｆ矢視における拡大断面図である。
【図２１】図１９のＧ−Ｇ矢視における要部の拡大断面図である。
【図２２】図１９の状態で回転ベゼルを回転させて素子取付部材の通路を塞いだ状態を示した正面図である。
【図２３】図２２のＨ−Ｈ矢視における拡大断面図である。
【図２４】図１９のＩ−Ｉ矢視におけるスイッチ部のオン状態を示した要部の拡大断面図である。
【図２５】図２４においてスイッチ部のオフ状態を示した要部の拡大断面図である。
【符号の説明】
【０１０７】
１  腕時計ケース
５、３０、５０、６０  圧力センサ装置
６  圧力センサ素子
６ａ  受圧面
７、３１、５１  素子取付部材
８、３２  カバー部材
１５、３５  通路
２０、４１  孔部
２１、５６、６３  ストッパ部
２５、５７、６５  スイッチ部
３６  内側孔部
３７  外側孔部
３８  空間部
５２  回転ベゼル
５５、６１  閉塞部
【図１】
2009281803.tif 000003
【図２】
2009281803.tif 000004
【図３】
2009281803.tif 000005
【図４】
2009281803.tif 000006
【図５】
2009281803.tif 000007
【図６】
2009281803.tif 000008
【図７】
2009281803.tif 000009
【図８】
2009281803.tif 000010
【図９】
2009281803.tif 000011
【図１０】
2009281803.tif 000012
【図１１】
2009281803.tif 000013
【図１２】
2009281803.tif 000014
【図１３】
2009281803.tif 000015
【図１４】
2009281803.tif 000016
【図１５】
2009281803.tif 000017
【図１６】
2009281803.tif 000018
【図１７】
2009281803.tif 000019
【図１８】
2009281803.tif 000020
【図１９】
2009281803.tif 000021
【図２０】
2009281803.tif 000022
【図２１】
2009281803.tif 000023
【図２２】
2009281803.tif 000024
【図２３】
2009281803.tif 000025
【図２４】
2009281803.tif 000026
【図２５】
2009281803.tif 000027